(57)【要約】 【課題】  摩擦係数検出時におけるヨーイングの発生を抑制する。【解決手段】  いずれか一輪にトルクを追加して増大させてその一輪の路面に対する挙動の変化に基づいて、その一輪と路面との間の摩擦係数を検出する路面摩擦係数検出装置において、前記一輪と左右方向で同じ位置にありかつ前後方向で反対側の他の一輪に、前記一輪に追加して加えたトルクと逆向きで同じ大きさのトルクを付加する手段（ステップＳ３，Ｓ６，Ｓ９，Ｓ１２）を有することを特徴とする。【選択図】  図１
2005306082.tif 000002
【特許請求の範囲】
【請求項１】
いずれか一輪にトルクを追加して増大させてその一輪の路面に対する挙動の変化に基づいて、その一輪と路面との間の摩擦係数を検出する路面摩擦係数検出装置において、
前記一輪と左右方向で同じ位置にありかつ前後方向で反対側の他の一輪に、前記一輪に追加して加えたトルクと逆向きで同じ大きさのトルクを付加する手段を有していることを特徴とする路面摩擦係数検出装置。
【請求項２】
いずれか一輪にトルクを追加して増大させてその一輪の路面に対する挙動の変化に基づいて、その一輪と路面との間の摩擦係数を検出する路面摩擦係数検出装置において、
前記一輪と左右方向で反対側にありかつ前後方向で同じ位置にある他の一輪に、前記一輪に追加して加えたトルクと逆向きで同じ大きさのトルクを付加し、
前記一輪と左右方向で同じ位置にありかつ前後方向で反対側である他の一輪に、前記一輪に追加して加えたトルクと逆向きで同じ大きさのトルクを付加し、
前記一輪と左右方向で反対側にありかつ前後方向で反対側の他の一輪に、前記一輪に追加して加えたトルクと同じ向きで同じ大きさのトルクを付加する手段を有していることを特徴とする路面摩擦係数検出装置。
【発明の詳細な説明】
【技術分野】
【０００１】
この発明は、車両の走行中に路面と車輪との間の摩擦係数を検出する装置に関するものである。
【背景技術】
【０００２】
車両の加速や減速あるいは旋回（回頭）は、車輪と路面との間に生じる駆動力や制動力あるいは横力によっておこなわれ、したがって車輪と路面との間でこのような力を生じさせる摩擦力もしくは摩擦係数は、車両の挙動にとって大きな要因となる。そのため車輪と路面との間の摩擦係数（すなわち路面摩擦係数）を正確に検出することができれば、これを利用して車両の挙動を的確に制御することが可能になり、少なくとも車両の制御にとって有効なデータとなる。
【０００３】
そこで従来、特許文献１の発明は、車輪に追加駆動力を加え、車輪速の変化から車輪のスリップ時点を検出し、スリップ時点での車輪に加わる各種の力から摩擦係数を求めるように構成されている。
【０００４】
また、特許文献２の発明は、ある車輪に駆動力を発生させた場合に、他の車輪に制動力を発生させることで車両の加減速感を防止するように構成されている。
【特許文献１】特開２００１−１７１５０４号公報
【特許文献２】特開２００１−３５４１２９号公報
【発明の開示】
【発明が解決しようとする課題】
【０００５】
特許文献１の発明によれば、摩擦係数を検出しようとする車輪にスリップを発生させて、そのときの車輪の速度変化を検出するので、実際の路面の摩擦係数を精度良く検出できる。また、特許文献２の発明によれば、摩擦係数検出のために、駆動力を加えたときに発生する加減速感を防止することができる。
【０００６】
特許文献１に記載された発明のように、摩擦係数を検出するために、検出対象として選ばれた特定の一輪、例えば左前輪に駆動力を与えると、車両全体としては右方向へのヨーイングが発生し、車両の挙動が不安定になる可能性がある。これに対して特許文献２の発明では、駆動輪に追加駆動力を負荷する一方、従動輪に制動力を与えるので、車両の全体としての加減速が生じないとしている。しかしながら、これは、左右の駆動輪に同時にトルクを付加することになるので、一輪毎の摩擦係数を検出することができない。
【０００７】
この発明は、上記の技術的課題に着目してなされたものであり、対象とする車輪の駆動トルクを変化させて、車輪ごとに摩擦係数を検出する際の車両の挙動を安定化させる路面摩擦係数検出装置を提供することを目的とする。
【課題を解決するための手段】
【０００８】
上記の目的を達成するため、この発明は、路面摩擦係数を検出するために、いずれかの車輪に駆動力を付加した場合に、その駆動力の増大分を相殺するように制動力を加えるに当たり、ヨーの発生を抑制するように、制動力を付加する車輪を選択するように構成したことを特徴とするものである。より具体的には、請求項１の発明は、いずれか一輪にトルクを追加して増大させてその一輪の路面に対する挙動の変化に基づいて、その一輪と路面との間の摩擦係数を検出する路面摩擦係数検出装置において、前記一輪と左右方向で同じ位置にありかつ前後方向で反対側の他の一輪に、前記一輪に追加して加えたトルクと逆向きで同じ大きさのトルクを付加する手段を有していることを特徴とする装置である。
【０００９】
また、請求項２の発明は、いずれか一輪にトルクを追加して増大させてその一輪の路面に対する挙動の変化に基づいて、その一輪と路面との間の摩擦係数を検出する路面摩擦係数検出装置において、前記一輪と左右方向で反対側にありかつ前後方向で同じ位置にある他の一輪に、前記一輪に追加して加えたトルクと逆向きで同じ大きさのトルクを付加し、前記一輪と左右方向で同じ位置にありかつ前後方向で反対側である他の一輪に、前記一輪に追加して加えたトルクと逆向きで同じ大きさのトルクを付加し、前記一輪と左右方向で反対側にありかつ前後方向で反対側の他の一輪に、前記一輪に追加して加えたトルクと同じ向きで同じ大きさのトルクを付加する手段を有していることを特徴とする装置である。
【発明の効果】
【００１０】
請求項１の発明によれば、摩擦係数を検出したい車輪が選択されると、その選択された車輪と左右方向で同じ位置にありかつ前後方向で反対側の他の車輪に制動力が付加される。摩擦係数を検出するために付加する駆動力とこれを相殺する駆動力とは車両の前後方向の力であり、これが左右方向で一致している一対の車輪に対してそれぞれ付加されるので、車両の重心もしくは中心に対するモーメントが互いに相殺するものとなり、これにより駆動力付加に伴うヨーイングが抑制され、車両の挙動を安定に保ったまま、摩擦係数の検出をおこなうことができる。
【００１１】
また、請求項２の発明によれば、前輪または後輪のみ駆動される車両においても、摩擦係数を検出したい車輪が選択されると、その選択された車輪以外の車輪に制動力または駆動力が付加される。具体的には、左右の一対の車輪に対して互いに反対方向の駆動力と制動力が加えられるが、前側の左右の車輪と後ろ側の左右の車輪とでは駆動力と制動力との付加の仕方が反対になるので、前側の車輪で生じるヨーを後ろの車輪で生じるヨーによって相殺することになり、これにより駆動力付加に伴うヨーイングが抑制され、車両挙動を安定に保ったまま、摩擦係数の検出をおこなうことができる。
【発明を実施するための最良の形態】
【００１２】
次に、この発明を具体例を用いて説明する。図１０はこの発明で対象とする四輪操舵の四輪駆動車についての模式図である。ここに示す四輪駆動車は、前置きエンジン前輪駆動車を前提とするものであって、エンジン１がトランスミッション（変速機）およびトランスファならびに前部ディファレンシャルを含むトランスアクスル２に連結されている。そして前部ディファレンシャルはドライブシャフト４を介して前輪５，６に連結されている。また、トランスファにプロペラシャフト７を介して後部ディファレンシャル８が連結され、さらに後部ディファレンシャル８はドライブシャフト９を介して後輪１０，１１が連結されている。
【００１３】
各車輪５，６，１０，１１にはそれぞれの回転速度を検出する回転速度センサ１４，１５，１６，１７と、各車輪５，６，１０，１１の制動をおこなうブレーキ機構１８，１９，２０，２１が設けられている。
【００１４】
また、前輪５，６の操舵をおこなうステアリング装置１３設けられており、この前輪ステアリング装置１３には、ステアリングホイールおよびステアリングリンケージならびに油圧アクチュエータや操舵角センサなどが含まれ、ステアリングホイールの操作に応じて前輪５，６が操舵されるように構成されている。また、後輪１０，１１には電気的に制御されて後輪１０，１１に舵各を与える操舵機構１２が連結され、ＥＣＵ１００を介したステアリング装置１３からの指令によって、後輪１０，１１の操舵をおこなうように構成されている。
【００１５】
これらの回転速度センサ１４，１５，１６，１７やブレーキ機構１８，１９，２０，２１はＥＣＵ１００に接続されている。また、ディファレンシャル８や操舵機構１２もＥＣＵ１００に接続されている。すなわち、ＥＣＵ１００が車両全体の制御をおこなうように構成されている。
【００１６】
前記トランスアクスル２にはトランスファの差動作用による前後輪側へのトルク分配率を制御する摩擦係合装置、および、前部ディファレンシャルの差動作用による左右の前輪５，６に対するトルクの分配率を制御するための摩擦係合装置（図示せず）が設けられ、また後部ディファレンシャル８にはその差動作用による左右の後輪１０，１１に対するトルク分配率を制御する摩擦係合装置（図示せず）が設けられている。したがって、これらの摩擦係合装置により、各前輪５，６および各後輪１０，１１のそれぞれに異なる駆動力を与えることができるように構成されている。このような機能を利用して、以下に説明するようにスリップが発生した時の駆動力と車輪５，６，１０，１１の回転速度から路面状態もしくは路面摩擦係数が検出される。
【００１７】
回転速度は回転速度センサ１４，１５，１６，１７で検出される。検出された回転速度信号はＥＣＵ１００で信号処理がおこなわれ、路面状態もしくは路面摩擦係数の推定がおこなわれる。そして、推定結果に基づいて、ブレーキ１８，１９，２０，２１の制動力が変更させられ、車輪５，６，１０，１１に対してそれぞれ独立して制動力が与えられる。
【００１８】
ところで、路面摩擦係数の検出は、検出対象となる車輪に対して駆動力を付与することによりおこなわれる。路面摩擦係数の検出は一輪ごとにおこなわれるので、車両の左右での駆動力に相違が生じ、これがヨーイングを生じさせる要因となる。このような路面摩擦係数の検出時におけるヨーイングを防止するために、以下に示す制御を実行するように構成されている。図１はそのヨーイング抑制制御のフローチャートである。
【００１９】
まず、路面摩擦係数を検出する車輪を選択する（ステップＳ１）。なお、車輪の選択は、路面状態の予備的な検出をおこない、最も路面摩擦係数の低いと考えられる車輪についておこなうようにしても良い。
【００２０】
つぎに、左前輪５が選択されたか否かが判断される（ステップＳ２）。ステップＳ２で肯定的に判断された場合、すなわち左前輪５が選択された場合には、左前輪５に対するトルクを増大させて駆動力を与える（ステップＳ３）。前述した図１０に示す車両を対象とする場合には、動力源が一つのエンジン１であるから、その出力トルクを増大させ、その出力トルクが前後輪５，６，１０，１１に分配されるので、選択された左前輪５のみの駆動トルクが相対的に増大するように、他の車輪のトルクを制御する。具体的には、エンジン１の出力トルクを増大した場合、所定の分配率で前輪５，６と後輪１０，１１とにトルクが分配され、定常的な状態であれば、前側の左右の車輪５，６のトルク、および後ろ側の左右の車輪１０．１１のトルクがそれぞれ左右均等に増大する。
【００２１】
そこで先ず、右前輪６の駆動トルクの増大を阻止するために、エンジントルクの増大に基づく増大トルクと同じ大きさの制動力を右前輪６に付与する制動を開始する（ステップＳ４）。こうすることにより、前輪５，６では左前輪５のみのトルクが増大されたことになる。このような、左右の車輪５，６のトルクの相違は、右旋回方向あるいは車両を上から見て時計方向のヨーを生じさせる原因となる。そこで、左前輪５の駆動トルクの増大による加速度を相殺するとともに、上記のヨーイングを相殺するために、検出対象の車輪５に対して前後方向で反対でかつ左右方向で同じ位置にある車輪すなわち左後輪１０の制動力を付与し、その制動力の大きさを左前輪５のトルク増大量と同じに設定する（ステップＳ４）。なお、図１０に示す四輪駆動車の場合、エンジントルクを増大させると、後輪１０，１１の駆動トルクが、トランスファにおけるトルク分配率に応じて増大し、これが車両を加速させる要因となるので、上記のようにヨーイングと併せて加速を回避する場合には、左右の後輪１０，１１に摩擦係数検出のためにエンジン出力を増大させたことに伴ってエンジン１から伝達されるトルクを相殺するように左右均等に制動力を付与する。
【００２２】
そして、路面摩擦係数μを算出する（ステップＳ１４）。これは、従来おこなわれているのと同様にして実行できる。例えば、上記の例では、左前輪５に掛かる垂直荷重と、上記のようにしてトルクを増大させたことに起因してスリップが生じた時点のトルクならびに車輪半径などに基づいて左前輪５についての摩擦係数が演算される。こうして所定の車輪についての摩擦係数が求められた後、エンジントルクの増大に伴う上述した制動が終了される（ステップＳ１５）。また、同時にエンジントルクの増大制御が終了される（ステップＳ１６）。
【００２３】
一方、ステップＳ２で否定的に判断された場合、他のいずれの車輪が選択されているかを順次判断する。すなわち、図１に示す例では、右前輪６が選択されたか否かが判断される（ステップＳ５）。ステップＳ５で肯定的に判断された場合、すなわち、右前輪６が選択された場合には、右前輪６にのみ駆動トルクが増大させられ、かつその増大分を相殺するように、前後方向で反対でかつ左右方向で同じ位置の右後輪１１の制動トルクが増大させられる。これは、上述したステップＳ３およびＳ４の制御と同様の制御であって、先ずエンジントルクが増大させられ（ステップＳ６）、また、左前輪５はエンジントルクの増大に起因するトルクの増大を回避するために制動力が付与される（ステップＳ７）。それ以降は、上述した左前輪５についての摩擦係数を検出する場合と同様に、路面摩擦係数μを算出し（ステップＳ１４）、ステップＳ７で指示された車輪の制動を中止するとともに（ステップＳ１５）、ステップＳ６でトルクをアップした車輪のトルクを通常状態に戻す（ステップＳ１６）。
【００２４】
同様にステップＳ５で否定的に判断された場合、左後輪１０が選択されたか否かが判断される（ステップＳ８）。ステップＳ８で肯定的に判断された場合、すなわち、左後輪１０が選択された場合には、左後輪１０にのみ駆動トルクが増大させられ、かつその増大分を相殺するように、前後方向で反対でかつ左右方向で同じ位置の左前輪５の制動トルクが増大させられる。これは、上述したステップＳ３およびＳ４の制御と同様の制御であって、先ずエンジントルクが増大させられ（ステップＳ９）、また、左前輪５はエンジントルクの増大に起因するトルクの増大を回避するために制動力が付与される（ステップＳ７）。それ以降は、上述した左前輪５についての摩擦係数を検出する場合と同様に、路面摩擦係数μを算出し（ステップＳ１４）、ステップＳ７で指示された車輪の制動を中止するとともに（ステップＳ１５）、ステップＳ６でトルクをアップした車輪のトルクを通常状態に戻す（ステップＳ１６）。
【００２５】
同様にステップＳ８で否定的に判断された場合、右後輪１１が選択されたか否かが判断される（ステップＳ１１）。ステップＳ１１で肯定的に判断された場合、すなわち、右後輪１１が選択された場合には、右後輪１１にのみ駆動トルクが増大させられ、かつその増大分を相殺するように、前後方向で反対でかつ左右方向で同じ位置の右前輪５の制動トルクが増大させられる。これは、上述したステップＳ３およびＳ４の制御と同様の制御であって、先ずエンジントルクが増大させられ（ステップＳ１２）、また、左後輪５はエンジントルクの増大に起因するトルクの増大を回避するために制動力が付与される（ステップＳ１３）。それ以降は、上述した左前輪５についての摩擦係数を検出する場合と同様に、路面摩擦係数μを算出し（ステップＳ１４）、ステップＳ７で指示された車輪の制動を中止するとともに（ステップＳ１５）、ステップＳ６でトルクをアップした車輪のトルクを通常状態に戻す（ステップＳ１６）。
【００２６】
なお、ステップＳ１１で否定的に判断された場合、すなわち、車輪がいずれも選択されていない場合には、特に処理をおこなわずこのルーチンを抜ける。
【００２７】
次に、路面摩擦係数検出時の駆動力と制動力の関係について図２から図５を使って説明する。路面摩擦係数検出動作開始以前は図２に示すように走行に必要なトルクとして前輪にはＴｆが、後輪にはＴｒがそれぞれ加えられている。これはエンジントルクがトランスファで分配されたトルクである。そして、前後それぞれで左右の車輪に分配される。したがって、左前輪と右前輪にはそれぞれＴｆ／２が加えられている。同様に左後輪と右後輪にはそれぞれＴｒ／２が加えられている。
【００２８】
そして、図３に示すように、例えば左前輪に対して路面摩擦係数検出動作が開始されると、同様にして追加駆動力が分配されて、前輪に追加駆動力Ｔｄｆが加えられる。つまり、左前輪にはＴｄｆ／２が追加され、右前輪にも同様にＴｄｆ／２が追加される。左前輪についての摩擦係数を検出するのであるから、右前輪の駆動トルクを従前のトルクに維持するために、エンジントルクの増大の伴う増大分をキャンセルするために、制動力Ｔｄｆ／２が加えられる。そこで追加駆動力の付与によるヨーイングを抑制するための制動力ｔｄｆ／２を左後輪に付与する。
【００２９】
さらに、図４に示すように、全ての車輪に追加駆動力Ｔｄｆ／２を追加した上で、対角となる一方の車輪対それぞれにＴｄｆだけ制動力を加えることもできる。それにより、例えば右前輪と左後輪とに制動力を加えた場合には左前輪と右後輪には制動力は加わらず、追加駆動力のみが加わることになる。したがって、同時に２つの車輪について路面摩擦係数を測定することが可能となる。
【００３０】
したがって、摩擦係数を検出したい車輪が選択されると、その選択された車輪と左右方向で同じ位置にありかつ前後方向で反対側の他の車輪に制動力が付加される。これにより駆動力付加に伴うヨーイングが抑制され、車両の挙動を安定に保ったまま、摩擦係数の検出をおこなうことができる。
【００３１】
なお、上記実施例では四輪駆動車を四輪操舵で制御する場合について述べたが、四輪操舵のいわゆるＦＦ車についても適用することができる。この場合の、路面摩擦係数検出時の駆動力と制動力の関係について図５から図６を使って説明する。なお、フローチャートの説明は前記実施例と同様であるので省略する。
【００３２】
路面摩擦係数検出前には前輪のみにトルクＴｆが加わっている。これは、エンジントルクがディファレンシャルで分配されたトルクである。従って、左前輪にはＴｆ／２が、右前輪にもＴｆ／２がぞれぞれ加わっている。ここで、左前輪の路面摩擦係数を検出するために前輪にＴｄｆだけ追加駆動力を付与したとする。すると、左前輪にはＴｄｆ／２が加わり、右前輪にもＴｄｆ／２が加わる。そこで、右前輪にＴｄｆ／２だけ制動力を加えるとともに、ヨーイング抑制のための制動力Ｔｄｆ／２を左後輪にも加える。これにより、ヨーイングを抑制しつつ左前輪の路面摩擦係数を検出することができる。
【００３３】
したがって、前輪または後輪のみ駆動される車両においても、摩擦係数を検出したい車輪が選択されると、その選択された車輪以外の車輪に制動力または駆動力が付加される。これにより駆動力付加に伴うヨーイングが抑制され、車両挙動を安定に保ったまま、摩擦係数の検出をおこなうことができる。
【００３４】
なお、上記実施例では四輪駆動車を四輪操舵で制御する場合について述べたが、四輪操舵でいわゆる車輪内モータを使用した車両についても適用することができる。この場合の、路面摩擦係数検出時の駆動力と制動力の関係について図７から図８を使って説明する。
【００３５】
路面摩擦係数検出動作開始以前は図７に示すように走行に必要なトルクとして前輪にはＴｆが後輪にはＴｒが加えられている。したがって、左前輪と右前輪にはそれぞれＴｆ／２が加えられている。同様に左後輪と右後輪にはそれぞれＴｒ／２が加えられている。
【００３６】
そして、図８に示すように、例えば左前輪に対して路面摩擦係数検出動作が開始されると、追加駆動力Ｔｄｆ／２が左前輪に加えられる。そこで追加駆動力の付与によるヨーイングを抑制するための制動力Ｔｄｆ／２を左後輪に付与する。
【００３７】
さらに、図９に示すように、対角となる一方の車輪対に追加駆動力Ｔｄｆ／２を追加した上で、対角となる他方の車輪対それぞれにＴｄｆ／２だけ制動力を加えることもできる。それにより、例えば右前輪と左後輪とに制動力を加えた場合には左前輪と右後輪には制動力は加わらず、追加駆動力のみが加わることになる。したがって、同時に２つの車輪について路面摩擦係数を測定することが可能となる。
【００３８】
つまり、摩擦係数を検出したい車輪が選択されると、その選択された車輪と左右方向で同じ位置にありかつ前後方向で反対側の他の車輪に制動力が付加される。これにより駆動力付加に伴うヨーイングが抑制され、車両の挙動を安定に保ったまま、摩擦係数の検出をおこなうことができる。
【００３９】
なお、本発明は、上記実施例に限定されない。上記実施例では、前輪駆動の４輪操舵装置を有する車両について述べたが、後輪駆動の４輪操舵装置を有する車両についても本発明を適用することができる。また、上記実施例では、四輪駆動車やいわゆるＦＦ車あるいは４輪全てに車輪内モータを有する車両について述べたが、いわゆるＦＲ車や、前輪もしくは後輪にのみ車輪内モータを有する車両についても本発明を適用することができる。つまり、少なくとも前輪または後輪にそれぞれ独立して制動力を加えることが可能で、各車輪独立して車輪の回転速度か検出可能なように構成されている車両であればよい。
【図面の簡単な説明】
【００４０】
【図１】ヨーイング抑制制御のフローチャートである。
【図２】四輪駆動車における通常時の駆動力配分を表す図である。
【図３】四輪駆動車における摩擦係数検出時の駆動力と制動力の例を表す図である。
【図４】四輪駆動車における摩擦係数検出時の駆動力と制動力の他の例を表す図である。
【図５】前輪駆動車における通常時の駆動力配分を表す図である。
【図６】前輪駆動車における摩擦係数検出時の駆動力と制動力の例を表す図である。
【図７】車輪内モータ駆動車における通常時の駆動力配分を表す図である。
【図８】車輪内モータ駆動車における摩擦係数検出時の駆動力と制動力の例を表す図である。
【図９】車輪内モータ駆動車における摩擦係数検出時の駆動力と制動力の他の例を表す図である。
【図１０】本発明に係る四輪駆動車の例である。
【符号の説明】
【００４１】
１…エンジン、  ５，６，１０，１１…車輪、  １４，１５，１６，１７…回転速度センサ、  １８，１９，２０，２１…ブレーキ機構、  ２２，２３，２４，２５…駆動モータ、  １０１…モータＥＣＵ、  １００…ＥＣＵ。
【図１】
2005306082.tif 000003
【図２】
2005306082.tif 000004
【図３】
2005306082.tif 000005
【図４】
2005306082.tif 000006
【図５】
2005306082.tif 000007
【図６】
2005306082.tif 000008
【図７】
2005306082.tif 000009
【図８】
2005306082.tif 000010
【図９】
2005306082.tif 000011
【図１０】
2005306082.tif 000012